(57)【要約】【課題】撮影した画像の管理が容易な撮影装置を提供する。【解決手段】手帳２００の各ページに二次元バーコード２０４を付し、その二次元バーコード２０４をデジタルカメラ１０で撮影してページを特定するページデータを取得する。撮影時には、撮影した画像と、二次元バーコード２０４から取得したページデータと関連付けて管理情報を作成し、作成した管理情報を手帳２００に備えられた無線タグ２１０に書き込む。再生時には、無線タグ２１０から管理情報を取得するとともに、再生するページの二次元バーコード２０４をデジタルカメラ１０で撮影してページデータを取得し、ページデータに関連付けられた画像を管理情報から特定して再生する。【選択図】      図４
2005176299.tif 000002
【特許請求の範囲】
【請求項１】
撮影指令に応じて被写体像を撮像手段で撮像し、得られた画像データを記録メディアに記録するとともに、再生指令に応じて前記記録メディアに記録されている画像データを読み出し、表示手段に再生表示する撮影装置において、
媒体に付された固有の情報を読み取り、その媒体固有の識別データを取得する識別データ取得手段と、
前記識別データ取得手段で識別データを取得後、前記撮像手段で画像を撮像すると、撮像された画像データが、前記識別データ取得手段で取得した識別データに対応する画像データであることを示す情報を作成する管理情報作成手段と、
前記管理情報作成手段によって作成された情報を管理情報として記憶する管理情報記憶手段と、
前記識別データ取得手段で識別データ取得後、再生指令に応じて該識別データ取得手段で取得した識別データに対応する画像データの情報を前記管理情報記憶手段に記憶された管理情報から取得し、該当する画像データを前記表示手段に再生表示させる再生制御手段と、
を備えたことを特徴とする撮影装置。
【請求項２】
撮影指令に応じて被写体像を撮像手段で撮像し、得られた画像データを記録メディアに記録するとともに、再生指令に応じて前記記録メディアに記録されている画像データを読み出し、表示手段に再生表示する撮影装置において、
媒体に付された固有の情報を読み取り、その媒体固有の識別データを取得する識別データ取得手段と、
前記表示手段に再生表示されている画像データの中から任意の画像データを選択する画像選択手段と、
前記識別データ取得手段で識別データを取得後、前記画像選択手段で画像データを選択すると、選択された画像データが前記識別データ取得手段で取得した識別データに対応する画像データであることを示す情報を作成する管理情報作成手段と、
前記管理情報作成手段によって作成された情報を管理情報として記憶する管理情報記憶手段と、
前記識別データ取得手段で識別データ取得後、再生指令に応じて該識別データ取得手段で取得した識別データに対応する画像データの情報を前記管理情報記憶手段に記憶された管理情報から取得し、該当する画像データを前記表示手段に再生表示させる再生制御手段と、
を備えたことを特徴とする撮影装置。
【請求項３】
前記媒体はメモ帳の各ページであることを特徴とする請求項１又は２に記載の撮影装置。
【請求項４】
前記管理情報記憶手段は無線タグであって、前記メモ帳に備えられる一方、前記撮影装置に前記無線タグから前記管理情報を読み取る無線タグ読み取り手段と、前記無線タグに前記管理情報を書き込む無線タグ書き込み手段と、が備えられていることを特徴とする請求項３に記載の撮影装置。
【請求項５】
前記媒体に付された情報はバーコードであって、前記識別データ取得手段は、該バーコードを撮像する前記撮像手段と、該撮像手段で撮像されたバーコードをデコードするデコード手段と、からなることを特徴とする請求項１、２、３又は４に記載の撮影装置。
【発明の詳細な説明】
【技術分野】
【０００１】
本発明は撮影装置に係り、特に手書きの手帳やノートと連携して使用される撮影装置に関する。
【背景技術】
【０００２】
カメラで撮影した画像にコメント付して記録する場合、従来は、プリントしたものを台紙に貼り付け、その台紙の余白部分にコメントを記入するようにしている。また、デジタルカメラで撮影した画像の場合には、その画像データをパーソナルコンピュータ等に取り込み、アルバムソフトなどで管理する方法もある（たとえば、特許文献１等）。
【特許文献１】登録実用新案第３０８７８２５号公報
【発明の開示】
【発明が解決しようとする課題】
【０００３】
しかしながら、撮影した画像をプリントし、台紙に貼り付けてコメントを付す方法やパーソナルコンピュータ等に取り込んで管理する方法では、即時性に欠け、使い勝手が悪いという欠点がある。
【０００４】
本発明は、このような事情に鑑みてなされたもので、撮影した画像の管理が容易な撮影装置を提供することを目的とする。
【課題を解決するための手段】
【０００５】
請求項１に係る発明は、前記目的を達成するために、撮影指令に応じて被写体像を撮像手段で撮像し、得られた画像データを記録メディアに記録するとともに、再生指令に応じて前記記録メディアに記録されている画像データを読み出し、表示手段に再生表示する撮影装置において、媒体に付された固有の情報を読み取り、その媒体固有の識別データを取得する識別データ取得手段と、前記識別データ取得手段で識別データを取得後、前記撮像手段で画像を撮像すると、撮像された画像データが、前記識別データ取得手段で取得した識別データに対応する画像データであることを示す情報を作成する管理情報作成手段と、前記管理情報作成手段によって作成された情報を管理情報として記憶する管理情報記憶手段と、前記識別データ取得手段で識別データ取得後、再生指令に応じて該識別データ取得手段で取得した識別データに対応する画像データの情報を前記管理情報記憶手段に記憶された管理情報から取得し、該当する画像データを前記表示手段に再生表示させる再生制御手段と、を備えたことを特徴とする撮影装置を提供する。
【０００６】
本発明によれば、識別データ取得手段で媒体に付された固有の情報を読み取り、その媒体固有の識別データを取得したのち、撮像手段で画像を撮像すると、撮像された画像データが、識別データ取得手段で取得した識別データに対応する画像データであることを示す情報が管理情報作成手段によって作成される。作成された情報は管理情報として管理情報記憶手段に記憶される。また、識別データ取得手段で媒体に付された固有の情報を読み取り、その媒体固有の識別データを取得したのち再生すると、その識別データ取得手段で取得した識別データに対応する画像データが、管理情報記憶手段に記憶されている管理情報から取得される。そして、該当する画像データが表示手段に再生表示される。これにより、媒体に関連付けて画像を記録、再生することができる。
【０００７】
また、請求項２に係る発明は、前記目的を達成するために、撮影指令に応じて被写体像を撮像手段で撮像し、得られた画像データを記録メディアに記録するとともに、再生指令に応じて前記記録メディアに記録されている画像データを読み出し、表示手段に再生表示する撮影装置において、媒体に付された固有の情報を読み取り、その媒体固有の識別データを取得する識別データ取得手段と、前記表示手段に再生表示されている画像データの中から任意の画像データを選択する画像選択手段と、前記識別データ取得手段で識別データを取得後、前記画像選択手段で画像データを選択すると、選択された画像データが前記識別データ取得手段で取得した識別データに対応する画像データであることを示す情報を作成する管理情報作成手段と、前記管理情報作成手段によって作成された情報を管理情報として記憶する管理情報記憶手段と、前記識別データ取得手段で識別データ取得後、再生指令に応じて該識別データ取得手段で取得した識別データに対応する画像データの情報を前記管理情報記憶手段に記憶された管理情報から取得し、該当する画像データを前記表示手段に再生表示させる再生制御手段と、を備えたことを特徴とする撮影装置を特徴とする。これにより、媒体に関連付けて画像を記録、再生することができる。
【０００８】
本発明によれば、識別データ取得手段で媒体に付された固有の情報を読み取り、その媒体固有の識別データを取得したのち、画像選択手段で撮影済み画像を選択すると、選択された画像データが、識別データ取得手段で取得した識別データに対応する画像データであることを示す情報が管理情報作成手段によって作成される。作成された情報は管理情報として管理情報記憶手段に記憶される。また、識別データ取得手段で媒体に付された固有の情報を読み取り、その媒体固有の識別データを取得したのち再生すると、その識別データ取得手段で取得した識別データに対応する画像データが、管理情報記憶手段に記憶されている管理情報から取得される。そして、該当する画像データが表示手段に再生表示される。
【０００９】
請求項３に係る発明は、前記目的を達成するために、前記媒体はメモ帳の各ページであることを特徴とする請求項１又は２に記載の撮影装置を提供する。
【００１０】
本発明によれば、メモ帳の各ページに情報が付され、メモ帳の各ページに関連付けて画像を記録、再生させることができる。
【００１１】
また、請求項４に係る発明は、前記目的を達成するために、前記管理情報記憶手段は無線タグであって、前記メモ帳に備えられる一方、前記撮影装置に前記無線タグから前記管理情報を読み取る無線タグ読み取り手段と、前記無線タグに前記管理情報を書き込む無線タグ書き込み手段と、が備えられていることを特徴とする請求項３に記載の撮影装置を提供する。
【００１２】
本発明によれば、メモ帳に無線タグが備えられ、そのメモ帳に備えられた無線タグに管理情報が記録される。
【００１３】
また、請求項５に係る発明は、前記目的を達成するために、前記媒体に付された情報はバーコードであって、前記識別データ取得手段は、該バーコードを撮像する前記撮像手段と、該撮像手段で撮像されたバーコードをデコードするデコード手段と、からなることを特徴とする請求項１、２、３又は４に記載の撮影装置を提供する。
【００１４】
本発明によれば、媒体に付されたバーコードを撮像手段で撮像し、デコード手段でデコードすることにより、媒体に付された識別情報を取得する。
【発明の効果】
【００１５】
本発明によれば、媒体に関連付けて画像を記録、再生することができるので、画像の管理が容易になる。
【発明を実施するための最良の形態】
【００１６】
以下、添付図面に従って本発明に係る撮影装置を実施するための最良の形態について説明する。
【００１７】
図１、図２は、それぞれ本発明が適用されたデジタルカメラ１０の一実施形態を示す正面斜視図と背面斜視図である。
【００１８】
図１に示すように、カメラボディ１２の前面には、レンズ１４、ストロボ１６、ファインダ窓１８、セルフタイマランプ２０等が設けられており、上面には、レリーズボタン２６、電源ボタン２８等が設けられている。
【００１９】
また、図２に示すように、カメラボディ１２の背面には、モニタ３０、ファインダ接眼部３２、ストロボボタン３４、マクロボタン３６、ズームレバー３８、表示ボタン４０、ＢＡＣＫボタン４２、メニュー／ＯＫボタン４６、十字ボタン４８、モードスイッチ５０等が設けられている。
【００２０】
レンズ１４は、沈胴式のズームレンズで構成されており、カメラのモードを撮影モードに設定し、電源を投入することにより、カメラボディ１２から繰り出される。
【００２１】
モニタ３０は、カラー表示可能な液晶ディスプレイで構成されており、このモニタ３０に記録済み画像が再生表示される。また、このモニタ３０は、ユーザインターフェースの表示画面として利用されるとともに、撮影時にはスルー画像が表示されて電子ビューファインダとしても利用される。
【００２２】
ストロボボタン３４は、ストロボモードの切り替えを指示するボタンとして機能し、このストロボボタン３４を１回押すごとに撮影中のストロボモードが「オートストロボ」→「赤目軽減ストロボ」→「強制発光ストロボ」→「スローシンクロ」→「ストロボ発光禁止」と切り替えられる。
【００２３】
マクロボタン３６は、マクロ機能のオン／オフの切り替えを指示するボタンとして機能し、このマクロボタン３６を１回押すごとに撮影中のマクロ機能のオン／オフが切り替えられる。
【００２４】
ズームレバー３８は、撮影時に撮影画像のズーム（テレ／ワイド）を指示するボタンとして機能するとともに、再生時に表示画像のズーム（拡大／縮小）を指示するボタンとして機能する。このズームレバー３８は、上下方向に揺動自在に設けられており、上方向に操作することにより、ズームがテレ側に操作され、下方向に操作することにより、ズームがワイド側に操作される。
【００２５】
表示ボタン４０は、モニタ３０の表示切り替えを指示するボタンとして機能し、撮影中、このボタンを押すことにより、モニタ３０に表示されるスルー画像がオン／オフされる。また、再生中、この表示ボタンを押すことにより、通常再生から文字表示なしの再生、マルチ再生へと切り替えられる。
【００２６】
メニュー／ＯＫボタン４６は、各モードの通常画面からメニュー画面への遷移を指示するボタン（メニューボタン）として機能するとともに、選択内容の確定、実行を指示するボタン（ＯＫボタン）として機能し、ＢＡＣＫボタン４２は、入力操作のキャンセル等を指示するボタンとして機能する。
【００２７】
十字ボタン４８は、上下左右４方向の指示を入力するボタンとして機能し、メニュー画面でメニュー項目の選択などに使用される。
【００２８】
モードスイッチ５０は、カメラのモードの切り替えを指示するスイッチとして機能する。このモードスイッチ５０をスライド操作することにより、カメラのモードが「撮影モード」また「再生モード」に設定される。
【００２９】
図３は図１及び図２に示したデジタルカメラ１０の内部の概略構成を示すブロック図である。
【００３０】
同図に示すように、デジタルカメラ１０は、ＣＰＵ１００、操作部１０２、記憶部１０４、撮像素子１０６、撮像処理部１０８、表示処理部１１０、記録処理部１１２、記録メディア１１４、デコード部１１６、リード／ライト部１１８等で構成されている。
【００３１】
ＣＰＵ１００は、本カメラシステムを統括制御する制御部であり、操作部（レリーズボタン２６、電源ボタン２８、ストロボボタン３４、マクロボタン３６、ズームレバー３８、表示ボタン４０、ＢＡＣＫボタン４２、メニュー／ＯＫボタン４６、十字ボタン４８、モードスイッチ５０等）１０２からの操作信号に基づいてカメラ全体の動作を統括的に制御する。
【００３２】
記憶部１０４は、ＲＯＭ、ＲＡＭ、ＥＥＰＲＯＭを含み、ＲＯＭには、ＣＰＵ１００が処理するプログラム及び制御に必要な各種データ等が格納されている。また、ＲＡＭは、プログラムの展開領域として利用されるとともに、ＣＰＵ１００が各種演算処理等を行う際の作業用エリアとして利用される。また、ＥＥＰＲＯＭには、各種設定情報などが記録される。
【００３３】
撮像素子（ＣＣＤ）１０６は、レンズ１４を介して結像された被写体の光学像を電気信号に変換する。
【００３４】
撮像処理部１０８は、このＣＣＤ１０６から出力された電気信号を取り込み、所要の信号処理を施して画像信号に変換する。
【００３５】
撮影中にモニタ３０にスルー画像を表示させる場合は、この撮像処理部１０８で信号処理された画像信号が、表示処理部１１０に送られる。表示処理部１１０は、入力した画像信号を、表示用の信号形式（たとえば、ＮＴＳＣ）に変換してモニタ３０に出力する。これにより、ＣＣＤ１０６で捉えたリアルタイム画像（スルー画像）がモニタ３０に表示される。
【００３６】
モードスイッチ５０によってカメラのモードが撮影モードに設定された状態で、レリーズボタン２６が押されると、操作部１０２からＣＰＵ１００にレリーズ信号が出力される。ＣＰＵ１００は、このレリーズ信号を受けて、画像の記録処理を実行する。すなわち、ＣＣＤ１０６から１コマ分の電気信号を取り込み、撮像処理部１０８で所要の信号処理を施して１コマ分の画像信号を取得し、記録処理部１１２を介して記録メディア１１４に記録する。
【００３７】
記録処理部１１２は、圧縮伸張処理回路を含み、ＣＰＵ１００からのコマンドに従って画像信号を圧縮し、所定フォーマットの画像ファイルとするとともに、所定のファイル名を付与して記録メディア１１４に記録する。記録メディア１１４としては、ｘＤピクチャーカード、スマートメディア、コンパクトフラッシュ、磁気ディスク、光ディスク、光磁気ディスク、メモリスティックなどの着脱可能なリムーバブルメディアの他、内蔵式の記録メディア（内部メモリ）であってもよい。
【００３８】
記録メディア１１４に記録された画像は、カメラのモードを再生モードに設定することにより、再生が可能になる。
【００３９】
モードスイッチ５０によってカメラのモードが再生モードに設定されると、ＣＰＵ１００は、これを検知して記録メディア１１４に最後に記録された画像ファイルの画像データを読み出す。読み出された画像データは、表示処理部１１０にて所要の伸張処理が施されたのち、表示処理部１１０を介してモニタ３０に出力される。これにより、記録メディア１１４に記録された画像の閲覧が可能になる。
【００４０】
画像のコマ送りは、十字ボタン４８で行なわれ、十字ボタン４８の右キーが押されると、次の画像がモニタ３０に再生表示される。そして、十字ボタン４８の左キーが押されると、前の画像がモニタ３０に再生表示される。
【００４１】
さて、上記のように本実施の形態のデジタルカメラ１０は、画像の記録／再生を行なうことができるが、この記録／再生機能を拡張する機能として、手帳と連携した記録／再生機能を備えている。この機能は、図４に示すように、手帳２００の各ページに画像を関連付けて記録することができるようにするものであり、以下のように構成されている。
【００４２】
図５は、本実施の形態のデジタルカメラ１０と連携して使用される手帳２００の平面図である。
【００４３】
同図に示すように、手帳２００は、用紙（リフィル）２０２の交換が可能なシステム手帳で構成されており、用紙２０２には、そのページを特定するための情報（ここでは、年月日）をコード化した二次元バーコード（ＱＲコード）２０４が付されている。この二次元バーコード２０４は、デジタルカメラ１０で読み取られる。すなわち、デジタルカメラ１０を二次元バーコードの読み取りが可能な状態に設定し、この状態で二次元バーコード２０４を撮像すると、撮像された二次元バーコード２０４の画像がデコード部１１６に取り込まれ、デコード部１１６でデコードされる。このデコード部１１６でデコードされたデータ（ここでは、年月日）が手帳２００のページデータとして取得され、記憶部１０４のＥＥＰＲＯＭに記憶される。
【００４４】
また、この手帳２００には、表紙に無線タグ２１０が埋め込まれている。無線タグ２１０は、図６に示すように、無線通信ＩＣ２１２と通信用のアンテナ２１４を備えた通信モジュールであり、ＲＦＩＤタグ、非接触ＩＤタグ、無線ＩＤタグなどと呼ばれることもある。無線タグ２１０のＩＣ部分には、データを格納するための不揮発性メモリ２１６と無線通信用のＲＦ回路２１８、及びこれらをつなぐロジック回路２２０が集積されている。不揮発性メモリ２１６には、手帳２００の各ページに関連付けられた画像ファイルのファイル名が管理情報として記録されている。すなわち、図５に示すように、手帳２００のページ番号と、そのページ番号に関連付けられた画像ファイルのファイル名とが、対応付けられたリスト（管理情報）が記録されている。
【００４５】
無線タグ２１０への管理情報の読み書きは、デジタルカメラ１０に備えられたリード／ライト部１１８で行なわれる。
【００４６】
リード／ライト部１１８は、図３に示すように、ＣＰＵ１００からのコマンドに従ってアンテナ１２０から電波を発信し、無線タグ２１０にデータを伝送する。無線タグ２１０は、受信したコマンドを解析・実行して、応答をリード／ライト部１１８に返す。この際、無線タグ２１０は、受信した電波の電磁誘導により発電して各構成回路を作動させる。
【００４７】
このように、無線タグ２１０には、デジタルカメラ１０のリード／ライト部１１８により管理情報が書き込まれ、また読み取られる。
【００４８】
次に、この手帳２００の各ページに関連付けて画像を記録する際の手順を図７に示すフローチャートに従って説明する。
【００４９】
手帳２００に関連付けて画像を記録するには、カメラのモードを撮影モードの下で手帳記録モードに設定する。手帳記録モードの設定は、撮影メニューで行なわれる。
【００５０】
まず、モードスイッチ５０でカメラのモードを撮影モードに設定し、メニュー／ＯＫボタン４６を押す。これにより、図８( ａ）に示すように、モニタ３０に撮影メニューの画面が表示される。ここでは、撮影メニューの項目として、手帳と関連付けて記録するための「手帳記録」と、人物撮影を行なうための「人物」、風景撮影を行なうための「風景」、夜景撮影を行なうための「夜景」、モノクロ撮影を行なうための「モノクロ」の５項目が用意されているものとする。ユーザは、この撮影メニューの項目の中から「手帳記録」を選択する。項目の選択は、十字ボタン４８の上キーと下キーで行い、十字ボタン４８を操作すると、選択項目を示すカーソルが移動する。そして、メニュー／ＯＫボタン４６で選択を確定する。
【００５１】
ＣＰＵ１００は、カーソルで「手帳記録」が選択され、メニュー／ＯＫボタン４６が押されたことをもって手帳記録が選択されたと判定し（ステップＳ１０）、カメラのモードを手帳記録モードに移行させる。
【００５２】
カメラのモードが手帳記録モードに移行すると、デジタルカメラ１０はバーコードの読み取りが可能になり、図８（ｂ）に示すように、モニタ３０に二次元バーコードの撮影を促すメッセージ（「バーコードを撮影してください」）が表示される。ユーザは、このメッセージに従って画像を関連付けて記録するページの二次元バーコード２０４を撮影する（ステップＳ１１）。
【００５３】
撮影された二次元バーコード２０４の画像データは、撮像処理部１０８を介してデコード部１１６に取り込まれ、デコードされる（ステップＳ１２）。
【００５４】
ＣＰＵ１００は、撮影した二次元バーコード２０４がデコード部１１６でデコードに成功したか否かを判定し（ステップＳ１３）、成功した場合は、そのデコードされたデータをページデータとして記憶部１０４のＥＥＰＲＯＭに格納する。
【００５５】
一方、デコードに失敗した場合は、図８（ｃ）に示すように、モニタ３０にエラーメッセージ（「読み取りエラー！」）を表示し、再び二次元バーコードの撮影を促す。ユーザは、このメッセージに応じて二次元バーコードを撮りなおす。
【００５６】
一方、ページデータの取得に成功すると、図８（ｄ）に示すように、モニタ３０に読み取ったページデータの内容（ここでは、年月日）が表示される。ユーザは、この表示を確認し、関連付けて撮影するページデータの内容に相違がない場合は、メニュー／ＯＫボタン４６を押し、間違っている場合は、ＢＡＣＫボタン４２を押す。
【００５７】
ＣＰＵ１００は、メニュー／ＯＫボタン４６とＢＡＣＫボタン４２のいずれのボタンが押されたかを判定し（ステップＳ１４）、ＢＡＣＫボタン４２が押された場合は、ステップＳ１１に戻り、二次元バーコード２０４を撮影し直す。
【００５８】
一方、メニュー／ＯＫボタン４６が押された場合は、手帳２００に関連付ける画像の撮影を行なう（ステップＳ１５）。
【００５９】
撮影は通常の撮影と同じ操作で行なわれ、レリーズボタン２６の押下で撮影が実行される。撮影された画像は、所定のファイル名が付与されて記録メディア１１４に記録される（ステップＳ１６）。
【００６０】
また、ＣＰＵ１００は、撮影した画像のファイル名と二次元バーコードから取得したページデータとから管理情報を作成する（ステップＳ１７）。すなわち、図５に示すように、撮影した画像のファイル名と二次元バーコードから取得したページデータとを対応付けたリストを作成する。
【００６１】
そして、作成した管理情報を手帳２００に備えられた無線タグ２１０に書き込む（ステップＳ１８）。すなわち、リード／ライト部１１８を介して管理情報を無線タグ２１０に伝送し、無線タグ２１０の不揮発性メモリ２１６に記録する。
【００６２】
このように、撮影が行なわれると、撮影された画像が記録メディア１１４に記録され、これと同時に管理情報が作成されて、無線タグ２１０に書き込まれる。
【００６３】
この後、モニタ３０には、図８（ｅ）に示すように、続けて撮影するか否かを問うメッセージ（「続けて撮影しますか？」）が表示される。ユーザは、このメッセージに応じて、続けて撮影する場合はメニュー／ＯＫボタン４６を押し、やめる場合はＢＡＣＫボタン４２を押す。
【００６４】
ＣＰＵ１００は、メニュー／ＯＫボタン４６とＢＡＣＫボタン４２のいずれのボタンが押されたかを判定し（ステップＳ１９）、メニュー／ＯＫボタン４６が押された場合は、ステップＳ１６に戻り、再び手帳２００に関連付ける画像の撮影を行なう。
【００６５】
一方、ＢＡＣＫボタン４２が押された場合は、手帳記録モードを終了し、通常の撮影モードに移行させる。
【００６６】
以上説明したように、デジタルカメラ１０は、手帳記録モードに設定することにより、手帳２００に関連付けて画像を記録することができる。記録後、ユーザは必要に応じて画像を関連付けたページに手書きのメモを記入する。
【００６７】
次に、撮影済み画像の中から任意の画像を選択し、手帳に関連付ける場合の処理の手順を図９に示すフローチャートに従って説明する。
【００６８】
撮影済み画像を手帳２００に関連付けるには、撮影モードの下でカメラのモードを手帳記録モードに設定する。手帳記録モードの設定は、再生メニューで行なわれる。
【００６９】
まず、モードスイッチ５０でカメラのモードを再生モードに設定し、メニュー／ＯＫボタン４６を押す。これにより、図１０( ａ）に示すように、モニタ３０に撮影メニューの画面が表示される。ここでは、撮影メニューの項目として、撮影済み像を手帳と関連付けるための「手帳記録」と、手帳と関連付けられた画像を再生するための「手帳画像再生」、全記録済み画像を自動再生するための「オートプレイ」の５項目が用意されているものとする。ユーザは、この撮影メニューの項目の中から「手帳記録」を選択する。項目の選択は、十字ボタン４８の上キーと下キーで行い、十字ボタン４８を操作すると、選択項目を示すカーソルが移動する。そして、メニュー／ＯＫボタン４６で選択を確定する。
【００７０】
ＣＰＵ１００は、カーソルで「手帳記録」が選択され、メニュー／ＯＫボタン４６が押されたことをもって手帳記録が選択されたと判定し（ステップＳ２０）、カメラのモードを手帳記録モードに移行させる。
【００７１】
カメラのモードが手帳記録モードに移行すると、デジタルカメラ１０はバーコードの読み取りが可能になり、図１０（ｂ）に示すように、モニタ３０に二次元バーコードの撮影を促すメッセージ（「バーコードを撮影してください」）が表示される。ユーザは、このメッセージに従って画像を関連付けて記録するページの二次元バーコード２０４を撮影する（ステップＳ２１）。
【００７２】
撮影された二次元バーコード２０４の画像データは、撮像処理部１０８を介してデコード部１１６に取り込まれ、デコードされる（ステップＳ２２）。
【００７３】
ＣＰＵ１００は、撮影した二次元バーコード２０４がデコード部１１６でデコードに成功したか否かを判定し（ステップＳ２３）、成功した場合は、そのデコードされたデータをページデータとして記憶部１０４のＥＥＰＲＯＭに格納する。
【００７４】
一方、デコードに失敗した場合は、図１０（ｃ）に示すように、モニタ３０にエラーメッセージ（「読み取りエラー！」）を表示し、再び二次元バーコードの撮影を促す。ユーザは、このメッセージに応じて二次元バーコードの撮りなおす。
【００７５】
一方、ページデータの取得に成功すると、図１０（ｄ）に示すように、モニタ３０に読み取ったページデータの内容（ここでは、年月日）が表示される。ユーザは、この表示を確認し、関連付けて撮影するページデータの内容に相違がない場合は、メニュー／ＯＫボタン４６を押し、間違っている場合は、ＢＡＣＫボタン４２を押す。
【００７６】
ＣＰＵ１００は、メニュー／ＯＫボタン４６とＢＡＣＫボタン４２のいずれのボタンが押されたかを判定し（ステップＳ２４）、ＢＡＣＫボタン４２が押された場合は、ステップＳ２１に戻り、二次元バーコード２０４を撮影し直す。
【００７７】
一方、メニュー／ＯＫボタン４６が押された場合は、手帳２００に関連付ける画像の選択が行なわれる( ステップＳ２５）。選択は、図１０（ｅ）に示すように、モニタ３０に記録済み画像を１コマずつ再生表示させ、手帳２００に関連付ける画像がモニタ３０に再生表示されたところでメニュー／ＯＫボタン４６を押すことにより行なわれる。
【００７８】
この際、画像再生は、通常の再生と同様に一番最後に記録メディア１１４に記録された画像が一番最初にモニタ３０に表示され、十字ボタン４８の右キー又は左キーが押されることにより、コマ送りが行なわれる。
【００７９】
画像が選択されると、図１０( ｆ) に示すように、続けて選択するか否かを問うメッセージ（「続けて選択しますか？」）がモニタ３０に表示される。ユーザは、このメッセージに応じて、続けて選択する場合はメニュー／ＯＫボタン４６を押し、やめる場合はＢＡＣＫボタン４２を押す。
【００８０】
ＣＰＵ１００は、メニュー／ＯＫボタン４６とＢＡＣＫボタン４２のいずれのボタンが押されたかを判定し（ステップＳ２６）、メニュー／ＯＫボタン４６が押された場合は、ステップＳ２５に戻り、再び手帳２００に関連付ける画像の選択を行なう。
【００８１】
一方、ＢＡＣＫボタン４２が押された場合は、選択処理を終了し、選択された画像のファイル名と二次元バーコードから取得したページデータとから管理情報を作成する（ステップＳ２７）。すなわち、図５に示すように、選択した画像のファイル名と二次元バーコードから取得したページデータとを対応付けたリストを作成する。
【００８２】
そして、作成した管理情報を手帳２００に備えられた無線タグ２１０に書き込む（ステップＳ２８）。すなわち、リード／ライト部１１８を介して管理情報を無線タグ２１０に伝送し、無線タグ２１０の不揮発性メモリ２１６に記録する。
【００８３】
以上により、記録済み画像の関連付けが完了する。この後、デジタルカメラ１０は、手帳記録の処理を終了し、通常の再生モードに移行する。
【００８４】
このように、デジタルカメラ１０は、再生モードの下で手帳記録モードに設定することにより、撮影済み画像を手帳２００に関連付けて記録することができる。記録後、ユーザは必要に応じて画像を関連付けたページに手書きのメモを記入する。
【００８５】
次に、手帳２００の各ページに関連付けて記録された画像を再生表示させる手順を図１１に示すフローチャートに従って説明する。
【００８６】
手帳２００の各ページに関連付けられた画像を再生するには、再生モードの下でカメラのモードを手帳画像再生モードに設定する。手帳画像再生モードの設定は、再生メニューで行なわれる。
【００８７】
まず、モードスイッチ５０でカメラのモードを再生モードに設定し、メニュー／ＯＫボタン４６を押す。これにより、図１２( ａ）に示すように、モニタ３０に撮影メニューの画面が表示される。ユーザは、この撮影メニューの項目の中から手帳２００に関連付けられた画像を再生するための「手帳画像再生」を選択する。ＣＰＵ１００は、カーソルで「手帳画像再生」が選択され、メニュー／ＯＫボタン４６が押されたことをもって手帳画像再生が選択されたと判定し（ステップＳ３０）、カメラのモードを手帳画像再生モードに移行させる。
【００８８】
カメラのモードが手帳画像再生モードに移行すると、デジタルカメラ１０はバーコードの読み取りが可能になり、図１２（ｂ）に示すように、モニタ３０に二次元バーコードの撮影を促すメッセージ（「バーコードを撮影してください」）が表示される。ユーザは、このメッセージに従って画像を読み出すページの二次元バーコード２０４を撮影する（ステップＳ３１）。
【００８９】
撮影された二次元バーコード２０４の画像データは、撮像処理部１０８を介してデコード部１１６に取り込まれ、デコードされる（ステップＳ３２）。
【００９０】
ＣＰＵ１００は、撮影した二次元バーコード２０４がデコード部１１６でデコードに成功したか否かを判定し（ステップＳ３３）、成功した場合は、そのデコードされたデータをページデータとして記憶部１０４のＥＥＰＲＯＭに格納する。
【００９１】
一方、デコードに失敗した場合は、図１２（ｃ）に示すように、モニタ３０にエラーメッセージ（「読み取りエラー！」）を表示し、再び二次元バーコードの撮影を促す。ユーザは、このメッセージに応じて二次元バーコードを撮りなおす。
【００９２】
一方、ページデータの取得に成功すると、図１２（ｄ）に示すように、モニタ３０に読み取ったページデータの内容（ここでは、年月日）が表示される。ユーザは、この表示を確認し、再生するページに相違がない場合は、メニュー／ＯＫボタン４６を押し、間違っている場合は、ＢＡＣＫボタン４２を押す。
【００９３】
ＣＰＵ１００は、メニュー／ＯＫボタン４６とＢＡＣＫボタン４２のいずれのボタンが押されたかを判定し（ステップＳ３４）、ＢＡＣＫボタン４２が押された場合は、ステップ３１に戻り、二次元バーコード２０４を撮影し直す。
【００９４】
メニュー／ＯＫボタン４６が押された場合、その取得したページデータに関連付けられた画像の検索が行なわれる( ステップＳ３５）。
【００９５】
まず、ＣＰＵ１００は、リード／ライト部１１８に管理情報の読み取り指令を出し、手帳２００に備えられた無線タグ２１０から管理情報を取得する。そして、取得した管理情報に基づいて二次元バーコード２０４から取得したページデータに関連付けられた画像ファイルのファイル名を取得する。そして、取得したファイル名の画像を記録メディア１１４から読出し、モニタ３０に再生表示させる（ステップＳ３６）。
【００９６】
ここで、ページに関連付けられた画像ファイルが複数ある場合は、最初に関連付けて記録された画像ファイルがモニタ３０に再生表示される。そして、十字ボタン４８の右キー又は左キーが押されることにより、コマ送りが行なわれる。
【００９７】
これにより、手帳２００の特定のページに関連付けられた画像ファイルを見ることができる。
【００９８】
再生終了は、ＢＡＣＫボタン４２を押すことにより行なわれ、ＣＰＵ１００は、ＢＡＣＫボタン４２が押されたか否かを判定して、画像再生の終了の要否を判定する（ステップＳ３７）。そして、ＢＡＣＫボタン４２が押されたと判定すると、手帳画像再生モードを終了し、通常の再生モードに移行する。
【００９９】
このように、デジタルカメラ１０は、手帳画像再生モードに設定することにより、手帳２００の特定のページに関連付けられた画像を再生することができる。
【０１００】
以上説明したように、本実施の形態のデジタルカメラ１０によれば、手帳２００の各ページに関連付けて画像を記録、再生することができる。これにより、手帳２００に簡単なコメントを付して画像を管理することができ、撮影後の画像の管理が容易になる。また、手帳２００を有効に利用することができる。
【０１０１】
なお、本実施の形態では、手帳２００の各ページに各ページを特定する二次元バーコード２０４を付しているが、手帳以外にもメモ帳やメモ用紙、カード、シール、ラベル、シートなどの媒体に二次元バーコードを付し、これらに画像を関連付けて記録できるようにしてもよい。たとえば、名刺に二次元バーコードを付し、その名刺に画像を関連付けて記録できるようにしてもよいし、また、シールに二次元バーコードを付し、そのシールに画像を関連付けて記録できるようにしてもよい。シールに二次元バーコードを付した場合には、そのシールが付された物品に画像を関連付けて記憶させることができる。
【０１０２】
また、物品そのものに二次元バーコードを付し、その物品に画像を関連付けて記録できるようにしてもよい。
【０１０３】
また、媒体の材質に関しても特に紙に限定されるものではなく、プラスチックや革、布地、金属などで構成されたものであってもよい。
【０１０４】
また、本実施の形態では、二次元バーコードを用いて手帳の各ページを特定するようにしているが、通常のバーコードを用いて特定するようにしてもよい。同様にデジタルカメラに文字の認識機能を持たせ、文字でページを特定するようにしてもよい。
【０１０５】
また、本実施の形態では、ページを特定する情報としてページに記された年月日を利用しているが、この他、手帳の各ページに付されたページ番号等を利用するようにしてもよい。
【０１０６】
さらに、本実施の形態では、管理情報を手帳に備えた無線タグ２０４に記憶するようにしているが、手帳とカメラの組み合わせを固定して使用する場合には、デジタルカメラ１０に管理情報を記憶させておくようにしてもよい。すなわち、手帳とデジタルカメラを一対一で組み合わせて使用する場合には、手帳を特定する必要がないので、デジタルカメラに管理情報を記憶させるようにしてもよい。この場合、たとえば、記憶部１０４のＥＥＰＲＯＭに管理情報を記憶させる。なお、デジタルカメラに管理情報を記憶させる場合には、手帳側の無線タグ及びデジタルカメラ側のリード／ライト部は不要になる。
【０１０７】
また、本実施の形態では、本発明をデジタルカメラに適用した場合を例に説明したが、本発明は撮影機能を備えた携帯電話機等にも同様に適用することができ、また、動画の撮影機能を備えている撮影機器の場合には、動画を手帳に関連付けて記録、再生できるようにしてもよい。
【図面の簡単な説明】
【０１０８】
【図１】デジタルカメラの正面斜視図
【図２】デジタルカメラの背面斜視図
【図３】デジタルカメラの内部の概略構成を示すブロック図
【図４】手帳と連携して使用されるデジタルカメラとシステム構成図
【図５】手帳の平面図
【図６】無線タグの構成を示すブロック図
【図７】手帳に関連付けて画像を記録する際の手順を示すフローチャート
【図８】手帳記録モード時におけるモニタの画面表示例を示す図
【図９】撮影済み画像を手帳に関連付ける場合の処理の手順を示すフローチャート
【図１０】手帳記録モード時におけるモニタの画面表示例を示す図
【図１１】手帳に関連付けられた画像を再生する際の手順を示すフローチャート
【図１２】手帳画像再生モード時におけるモニタの画面表示例を示す図
【符号の説明】
【０１０９】
１０…デジタルカメラ、１２…カメラボディ、１４…レンズ、１６…ストロボ、１８…ファインダ窓、２０…セルフタイマランプ、２６…レリーズボタン、２８…電源ボタン、３０…モニタ、３２…ファインダ接眼部、３４…ストロボボタン、３６…マクロボタン、３８…ズームレバー、４０…表示ボタン、４２…ＢＡＣＫボタン、４６…メニュー／ＯＫボタン、４８…十字ボタン、５０…モードスイッチ、１００…ＣＰＵ、１０２…操作部、１０４…記憶部、１０６…撮像素子（ＣＣＤ）、１０８…撮像処理部、１１０…表示処理部、１１２…記録処理部、１１４…記録メディア、１１６…デコード部、１１８…リード／ライト部、１２０…アンテナ、２００…手帳、２０２…用紙（リフィル）、２０４…二次元バーコード、２１０…無線タグ、２１２…無線通信ＩＣ、２１４…アンテナ、２１６…不揮発性メモリ、２１８…ＲＦ回路、２２０…ロジック回路
【図１】
2005176299.tif 000003
【図２】
2005176299.tif 000004
【図３】
2005176299.tif 000005
【図４】
2005176299.tif 000006
【図５】
2005176299.tif 000007
【図６】
2005176299.tif 000008
【図７】
2005176299.tif 000009
【図８】
2005176299.tif 000010
【図９】
2005176299.tif 000011
【図１０】
2005176299.tif 000012
【図１１】
2005176299.tif 000013
【図１２】
2005176299.tif 000014